(57)【要約】【課題】被災地などの電源が無い地域でも燃料を使わずに飲料水などの生活水を得ることのできる水処理装置を提供する。【解決手段】膜ユニット３を収納した膜濾過装置１と、池や湖、河川などから水を汲み上げ膜濾過装置１に供給するポンプ４と、前記膜濾過装置１内の膜ユニット３の下方からエアーを送り込むブロアー５と、膜濾過装置１で濾過された水を吸引して受水タンク８に送る吸引ポンプ６と、受水タンク８から水を取り出す送水ポンプ１４と、前記各ポンプ４，６，１４およびブロアー５を駆動させる太陽光発電装置１９を備えてなる。【選択図】図１
2007160157.tif 000002
【特許請求の範囲】
【請求項１】
膜ユニットを収納した膜濾過装置と、池や湖、河川などから水を汲み上げ膜濾過装置に供給するポンプと、前記膜濾過装置内の膜ユニットの下方からエアーを送り込むブロアーと、膜濾過装置で濾過された水を吸引して受水タンクに送る吸引ポンプと、受水タンクから水を取り出す送水ポンプと、前記各ポンプおよびブロアーを駆動させる太陽光発電装置を備えてなることを特徴とする水処理装置。
【請求項２】
太陽光発電装置は多数枚の発電パネルを平面上に並べて作られており、発電パネルを一体もしくは個々に太陽光に対して角度調整可能に構成されていることを特徴とする請求項１記載の水処理装置。
【請求項３】
多数枚の発電パネルを平面上に並ぶように受ける支持板の長手方向に沿う一側部を水処理装置を収納する枠体の上端に水平軸心の回りで回動自在に支持し、前記支持板の短手方向の中間位置近傍において枠体の上端に水平軸心の回りで回動自在に取り付けられたスクリュージャッキの先端を枢結し、このスクリュージャッキの操作により多数枚の発電パネルを一体に太陽光に対して角度調整可能に構成されていることを特徴とする請求項１または２記載の水処理装置。
【発明の詳細な説明】
【技術分野】
【０００１】
本発明は、例えば震災により電源が無い地域などで飲料水などの生活水を提供するために使用できるようにした水処理装置に関するものである。
【背景技術】
【０００２】
昨今世界中で発生している大地震などの被災地において電源の復旧、飲料水などの生活水の復旧に長い日数がかかっており、人間の生活において最も必要な飲料水を確保するのに各地から支援を求めているのが現状であるが、充分に行き届いていないのが現実である。
【０００３】
そこで、被災地において電源を使わずに飲料水を提供するために特許文献１に開示されている災害用飲料水製造装置が知られており、この災害用飲料水製造装置では水源から水を汲み上げるためのメインポンプとしてエンジンポンプが使用されている。
【特許文献１】特開平１０−５７９５７号公報
【発明の開示】
【発明が解決しようとする課題】
【０００４】
上記従来の特許文献１に記載の災害用飲料水製造装置の構成では、水源の水を汲み上げるためのエンジンポンプを駆動するための燃料を用意しなければならないという問題があった。
【０００５】
本発明の目的は、このような課題を解決するものであり、被災地などの電源が無い地域でも燃料を使わずに飲料水などの生活水を得ることのできる水処理装置を提供することにある。
【課題を解決するための手段】
【０００６】
本発明の請求項１に記載の水処理装置は、膜ユニットを収納した膜濾過装置と、池や湖、河川などから水を汲み上げ膜濾過装置に供給するポンプと、前記膜濾過装置内の膜ユニットの下方からエアーを送り込むブロアーと、膜濾過装置で濾過された水を吸引して受水タンクに送る吸引ポンプと、受水タンクから水を取り出す送水ポンプと、前記各ポンプおよびブロアーを駆動させる太陽光発電装置を備えてなることを特徴とする。
【０００７】
請求項２に記載の水処理装置は、太陽光発電装置は多数枚の発電パネルを平面上に並べて作られており、発電パネルを一体もしくは個々に太陽光に対して角度調整可能に構成されていることを特徴とする。
【０００８】
請求項３に記載の水処理装置は、多数枚の発電パネルを平面上に並ぶように受ける支持板の長手方向に沿う一側部を水処理装置を収納する枠体の上端に水平軸心の回りで回動自在に支持し、前記支持板の短手方向の中間位置近傍において枠体の上端に水平軸心の回りで回動自在に取り付けられたスクリュージャッキの先端を枢結し、このスクリュージャッキの操作により多数枚の発電パネルを一体に太陽光に対して角度調整可能に構成されていることを特徴とする。
【発明の効果】
【０００９】
以上のように、本発明の水処理装置は、被災地などの電源が無い地域でも太陽光発電装置からの電気を利用してポンプやブロアーを駆動させることができ、燃料を使わずに水処理装置を運転させて飲料水などの生活水を提供することができる。特に、太陽光発電装置は太陽光に対して角度調整できるように構成されていることから、使用する地域に応じて集光に最適な角度となるように太陽光に対して角度調整できるものである。
【発明を実施するための最良の形態】
【００１０】
以下、本発明の一実施の形態を、図１〜図５を用いて具体的に説明する。
図において、１は装置本体２内に膜カートリッジを集合状態とした膜ユニット３を収納する膜濾過装置で、この膜濾過装置１には池や湖、河川などからポンプ４により水が汲み上げられ供給される。５は前記膜濾過装置１内の膜ユニット３の下方からエアーを送り込むためのブロアーで、膜濾過装置１内に入った被処理水はブロアー５により送り込まれたエアーにより隣り合う膜カートリッジ間を撹拌されながら上昇する過程において、その一部が膜カートリッジに対して内部に浸透して濾過され、残りの分は膜カートリッジの上部から膜濾過装置１内を下降するという循環動作を繰り返すようになる。そして、被処理水に含まれる汚泥も膜カートリッジ間を上昇することになり、膜カートリッジ表面に付着した汚れを掻き落とす作用を行なうことになる。６は膜ユニット３で濾過された水を膜ユニット３の上側の取り出し口７から吸引して受水タンク８に送るための吸引ポンプである。９は前記取り出し口７よりも上側の水を元の池や湖、河川などに戻すオーバーフロー管であり、前記ブロアー５により送り込まれたエアーによって膜ユニット３の上方に浮き上がった汚泥を含む余剰水を元の池や湖、河川などに戻すようになっている。１０は吸引ポンプ６と受水タンク８との間の流路中に設けた除菌用のフィルター、１１はこの除菌用のフィルター１０と前記吸引ポンプ６との間の流路中に薬剤として次亜塩素酸ナトリウムを送るための薬注タンクで、薬注ポンプ１２により薬剤が供給される。なお、前記薬注ポンプ１２は吸引ポンプ６と連動しており、吸引ポンプ６の運転が停止しているときは薬注ポンプ１２も停止するようになっている。１３は前記受水タンク８中の水の安全性を高めるために受水タンク８に設けたＵＶ殺菌ランプで、このＵＶ殺菌ランプ１３により処理された水は送水ポンプ１４により受水タンク８から取り出され、フィルター１５を通って飲料水などの生活水として利用されるようになっている。ところで、前記装置本体２内における膜ユニット３の下側には濾過により汚泥が沈殿することになり、装置本体２の下部には汚泥の沈殿状態を確認するための覗き孔１６ａ，１６ｂが上下に設けられ、上側の覗き孔１６ａの位置で汚泥が確認されたときは汚泥の溜まり量が多いと判断して装置本体２の下端とストレーナー１７との間の流路中に設けたバルブ１８を開いて汚泥をストレーナー１７に送り込み、装置本体２内の汚泥を下側の覗き孔１６ｂの位置まで取り除くようになっている。ストレーナー１７に溜まった汚泥に含まれる水分は元の池や湖、河川などに戻される。
【００１１】
以上のようにして池や湖、河川などから採取した水を飲料水などの生活水として利用できるものであるが、被災地において電源の復旧に長い日数がかかる場合が多く、そのために本実施の形態では前記ポンプ４、ブロアー５、吸引ポンプ６、薬注ポンプ１２、ＵＶ殺菌ランプ１３、送水ポンプ１４の駆動源として太陽光発電装置１９で得た電気を用いるようにしてある。この太陽光発電装置１９で得た電気の余った分は制御盤２０に内蔵された蓄電池で蓄電されるようになっている。
【００１２】
前記太陽光発電装置１９は多数枚の発電パネル２１を平面上に並べて作られており、地域に応じて集光に最適な角度となるように太陽光に対して角度調整できるように構成されている。詳しくは、多数枚の発電パネル２１は支持板２２に受けられ、発電パネル２１が並べられた支持板２２の長手方向に沿う一側部を水処理装置全体を収納する枠体２３の上端に水平軸心２４の回りで回動自在に支持し、前記支持板２２の短手方向の中間位置近傍において枠体２３の上端に水平軸心の回りで回動自在に取り付けられたスクリュージャッキ２５の先端を枢結している。前記スクリュージャッキ２５は支持板２２の長手方向における両端部および中間部に対応するように設けられ、３箇所のスクリュージャッキ２５で発電パネル２１を受ける支持板２２を前記水平軸心２４の回りで回動させ、発電パネル２１の角度調整を行なうようになっている。なお、前記３箇所のスクリュージャッキ２５は１本の軸２６によって連動するようになっており、両端のスクリュージャッキ２５の位置に設けたハンドル２７の少なくとも何れか一方を手動で回すことにより３箇所のスクリュージャッキ２５が互いに連動して動作し、前記発電パネル２１を受ける支持板２２の角度を調整できるようになっている。
【００１３】
ところで、以上述べた実施の形態では支持板２２で受けられた発電パネル２１全体を一体的にスクリュージャッキ２５により回動させるようになっているが、各列毎に発電パネル２１を回動させるようにしても良く、あるいは発電パネル２１を１枚づつ回動させるようにしても良い。
【図面の簡単な説明】
【００１４】
【図１】本発明の一実施の形態における水処理装置のフローシート図である。
【図２】同水処理装置の要部切欠き正面図である。
【図３】同水処理装置の太陽光発電装置の角度調整を行なった状態を示す側面図である。
【図４】同水処理装置の太陽光発電装置を取り除いて見た平面図である。
【図５】同水処理装置の太陽光発電装置の平面図である。
【符号の説明】
【００１５】
１    膜濾過装置
２    装置本体
３    膜ユニット
４    ポンプ
５    ブロアー
６    吸引ポンプ
７    取り出し口
８    受水タンク
９    オーバーフロー管
１０    フィルター
１１    薬注タンク
１２    薬注ポンプ
１３    ＵＶ殺菌ランプ
１４    送水ポンプ
１５    フィルター
１７    ストレーナー
１９    太陽光発電装置
２０    制御盤
２１    発電パネル
２２    支持板
２３    枠体
２４    水平軸心
２５    スクリュージャッキ
２６    軸
２７    ハンドル
【図１】
2007160157.tif 000003
【図２】
2007160157.tif 000004
【図３】
2007160157.tif 000005
【図４】
2007160157.tif 000006
【図５】
2007160157.tif 000007